(57)【要約】      （修正有）【課題】自動装弾式銃器のための、構造的に簡単で信頼性の高い弾倉を提供する。【解決手段】弾倉ハウジング３と、弾倉開放位置と弾倉閉鎖位置との間で移動できる弾倉底板１１とを備える、自動装弾式銃器のための弾倉１に関し、弾倉１は、弾倉底板１１が、弾倉閉鎖位置と弾倉開放位置との間で摺動できるように設けられること、及び弾倉底板１１が、弾倉開放位置において枢動できるように弾倉ハウジング３上にヒンジ係留されることを特徴とする。また、このような弾倉１内で使用するための弾倉底板１１、並びにこのような弾倉１及び弾倉底板１１を備える自動装弾式銃器にも関する。【選択図】図１
2019095188.tif 000002
【特許請求の範囲】
【請求項１】
弾倉ハウジング（３）と、弾倉開放位置と弾倉閉鎖位置との間で移動できる弾倉底板（１１）とを備える、自動装弾式銃器のための弾倉（１）であって、
前記弾倉底板（１１）は、前記弾倉閉鎖位置と前記弾倉開放位置との間で摺動できるよう、及び前記弾倉開放位置において前記弾倉ハウジング（３）上で枢動するように設けられることを特徴とする、弾倉（１）。
【請求項２】
少なくとも１つの安全要素（６２ａ、ｂ；６５ａ、ｂ）が、前記弾倉底板（１１）を、前記弾倉ハウジング（３）からの偶発的な取り外しに対抗するように固定することを特徴とする、請求項１に記載の弾倉（１）。
【請求項３】
特にヒンジピン（６５ａ、ｂ）の形態の少なくとも２つの安全要素（６５ａ、ｂ）が、好ましくは前記弾倉底板（１１）内若しくは前記弾倉底板（１１）上、又は前記弾倉ハウジング（３）内若しくは前記弾倉ハウジング（３）上の両側に形成されること；及び
前記少なくとも２つの安全要素（６５ａ、ｂ）は、前記弾倉開放位置において前記弾倉底板（１１）の枢軸として機能すること
を特徴とする、請求項１又は２に記載の弾倉（１）。
【請求項４】
特にヒンジピン（６５ａ、ｂ）である前記少なくとも２つの安全要素（６５ａ、ｂ）は好ましくは、前記弾倉ハウジング（３）内若しくは前記弾倉ハウジング（３）上、又は前記弾倉底板（１１）内若しくは前記弾倉底板（１１）上に設けられた又は配設された、それぞれのガイド経路（６１ａ、ｂ）内に導入され、これにより前記少なくとも２つの安全要素（６５ａ、ｂ）を移動及び／又は枢動させることができることを特徴とする、請求項３に記載の弾倉（１）。
【請求項５】
前記ガイド経路（６１ａ、ｂ）は、前記少なくとも２つのヒンジピン（６５ａ、ｂ）それぞれの運動経路を制限する少なくとも１つの限界停止要素（６２ａ、ｂ）を備えることを特徴とする、請求項４に記載の弾倉（１）。
【請求項６】
前記弾倉底板（１１）は好ましくは、特にランプ（ｒａｍｐ）状に設計された少なくとも１つの作動セクション（９５ａ、ｂ）を含み、前記少なくとも１つの作動セクション（９５ａ、ｂ）は、前記弾倉底板（１１）が前記弾倉開放位置から前記弾倉閉鎖位置へ、及びその逆に移動した場合に、前記弾倉ハウジング（３）の下側に相補的となるように設計された対抗セクション（５５）に対して、前記弾倉底板（１１）を支承するか又は解放することを特徴とする、請求項１〜５のいずれか１項に記載の弾倉（１）。
【請求項７】
少なくとも１つのロック要素（２７ａ、ｂ；８９ａ、ｂ）が、前記弾倉底板（１１）内又は前記弾倉底板（１１）上に設けられ、前記少なくとも１つのロック要素（２７ａ、ｂ；８９ａ、ｂ）は、前記弾倉底板（１１）が前記弾倉開放位置から前記弾倉閉鎖位置へ、及びその逆に変位した場合に、前記弾倉ハウジング（３）の下側に設けられた少なくとも１つの相補的な対抗ラッチ（２５ａ、ｂ；６４ａ、ｂ）に対して、前記弾倉底板（１１）をロック又はロック解除することを特徴とする、請求項１〜６のいずれか１項に記載の弾倉（１）。
【請求項８】
前記弾倉ハウジング（３）及び／又は前記弾倉底板（１１）は、少なくとも１つの流体流路開口（５３ａ、ｂ）を備えることを特徴とする、請求項１〜７のいずれか１項に記載の弾倉（１）。
【請求項９】
少なくとも１つの凹部（８７）が前記弾倉ハウジング（３）の下側（５７）に設けられ、前記少なくとも１つの凹部（８７）は、前記弾倉ハウジング（３）と前記弾倉底板（１１）との間に流体流路開口を形成する役割を果たすことを特徴とする、請求項１〜８のいずれか１項に記載の弾倉（１）。
【請求項１０】
弾倉軸（１０）は、特に後壁（９）の内側において、少なくとも１つの相補的な対抗ガイド要素（３９）をガイドするための少なくとも１つのガイドセクション（３７）を、弾倉インサート（１９）内若しくは前記弾倉インサート（１９）上、及び／又は給弾装置（１５）内若しくは前記給弾装置（１５）上に備えることを特徴とする、請求項１〜９のいずれか１項に記載の弾倉（１）。
【請求項１１】
前記弾倉インサート（１９）及び／又は前記給弾装置（１５）のガイドのための少なくとも１つのガイド要素（６９ａ、ｂ；７３ａ、ｂ；７７）が、前記弾倉軸（１０）内、特に側壁（５ａ、ｂ）の及び／又は前壁（７）の内側に設けられることを特徴とする、請求項１〜１０のいずれか１項に記載の弾倉（１）。
【請求項１２】
前記弾倉ハウジング（３）は、装弾状態をチェックするための少なくとも１つの視認用切り欠き部及び／又はインサート（２９ａ、ｂ；３１）を備えることを特徴とする、請求項１〜１１のいずれか１項に記載の弾倉（１）。
【請求項１３】
前記給弾装置（１５）及び前記弾倉インサート（１９）は、弾性要素（１７）、特に弾倉ばねを介して互いに連結され、予荷重によって前記弾倉閉鎖位置に保持されることを特徴とする、請求項１〜１２のいずれか１項に記載の弾倉（１）。
【請求項１４】
前記弾倉インサート（１９）は下側（９９）に、前記弾倉底板（１１）に相補的なものとして形成された凹部（４９）と連結するためのロックタブ（５１）を含み、前記ロックタブ（５１）は前記弾倉底板（１１）を前記弾倉閉鎖位置で保持することを特徴とする、請求項１〜１３のいずれか１項に記載の弾倉（１）。
【請求項１５】
前記弾倉インサート（１９）の前記下側（９９）は、前記ロックタブ（５１）の領域内において、少なくとも部分的に深くなったセクション（１０３）を備えることを特徴とする、請求項１〜１４のいずれか１項に記載の弾倉（１）。
【請求項１６】
前記給弾装置（１５）の、特に前部（１３７ａ、ｂ）の外側の領域に、少なくとも１つの凹部（１３９ａ、ｂ）が設けられることを特徴とする、請求項１〜１５のいずれか１項に記載の弾倉（１）。
【請求項１７】
少なくとも１つのスペーサ（１３１）が、前記給弾装置（１５）の上側に設けられることを特徴とする、請求項１〜１６のいずれか１項に記載の弾倉（１）。
【請求項１８】
請求項１〜１７のいずれか１項に記載の弾倉（１）内で使用できる、弾倉底板（１１）。
【請求項１９】
請求項１〜１７のいずれか１項に記載の、弾倉底板（１１）を備える弾倉（１）を特徴とする、自動装弾式銃器。
【発明の詳細な説明】
【技術分野】
【０００１】
本発明は、請求項１の前提部分に記載の弾倉に関する。
【０００２】
本発明はまた、弾倉底板、及び上記弾倉を備えた自動装弾式銃器にも関する。
【０００３】
本文書では、「上方（ａｂｏｖｅ）」、「下方（ｂｅｌｏｗ）」、「前方（ｆｒｏｎｔ）」、「後方（ｂｅｈｉｎｄ）」といった、位置に関する言及は、弾倉に関するものであり、上記弾倉は基本的に、自動装弾式銃器に底部から垂直方向に弾薬筒を供給し、上記自動装弾式銃器内には砲腔軸が水平に延在し、発砲は前方に向かって、射手から離れる方向に行われる。例えば可能なものとしては上部から底部に向かって（ブレン軽機関銃）又は水平方向に（ステン短機関銃）等、弾倉を自動装弾式銃器に異なる方向で挿入できる場合、位置に関する言及はそれに応じて解釈する必要がある。
【背景技術】
【０００４】
自動装弾式銃器用の弾倉、及び例えばアサルトライフル、短機関銃、プレシジョンライフル等といった、上記弾倉を備えた自動装弾式銃器は、様々なバージョンが知られている。弾倉内には弾薬筒が１列又は２列になって、あるいはジグザグに格納される。
【０００５】
例えばＮＡＴＯ規格に準拠したもの等の弾倉は、弾倉ハウジングの弾倉の左側にマガジンキャッチを含む。射手が上記弾倉を自動装弾式銃器の弾倉軸に完全に挿入すると、ばね式弾倉解放／保持デバイスが、尾筒内又は尾筒上に配設されたマガジンキャッチに自動的に到達する。そして弾倉は自動装弾式銃器内で、その動作位置に安全に係合される。
【０００６】
弾倉を解放するために、通常、少なくとも１つのハンドレバーが弾倉解放／保持デバイスに設けられる。射手がこのハンドレバーを操作すると、ハンドレバーは、保持ブラケットをマガジンキャッチから外れるように引っ張る、及び／又は押し込む。これにより弾倉は解放され、射手によって武器から取り外すことができ、又は自動装弾式銃器の正常な射撃位置において弾倉軸から外へと下方に落下する。射手はここで、弾倉軸に新たな弾倉を挿入でき、続いてこの弾倉は、この位置で再びロックされる。
【０００７】
自動装弾式銃器の発砲及び自動再装弾中の機能的シーケンスは、以下のように簡略化して記述できる。
【０００８】
尾筒内には、弾丸の発砲のため、発砲済みの薬莢の引き抜きのため、及びその再装弾のために、長手方向に移動できるようにガイドされた尾栓が設けられる。弾丸の発砲のために、上記尾栓、特にその尾栓先端部は、最上部の弾薬筒を弾倉から砲身の薬室へと公知の方法で挿入する。引き金機構を引くと、撃針が弾薬筒基部に当たって推進剤に点火し、これにより発射体が薬莢を出て砲身を通って発砲される。発射体が銃の砲身内の砲腔を通過する際、ガス動作式銃の発砲手順中に放出された推進ガスを、ガスピストンへと分岐させることができる。分岐した推進ガスは、尾栓を公知の方法で後方への運動に切り替えるために使用される。これにより推進ガスは、ガスピストン及びこれに連結されたガスロッドを介して、尾栓を高速で軸の方向へと後方に押す。
【０００９】
抽筒子が尾栓先端部に設けられ、これは薬莢の縁部の周りを弾薬筒底部上で把持し、尾栓の復帰移動中に薬莢を薬室から引き抜く。蹴子は薬莢を、弾薬筒排出窓を介して、公知の方法で尾筒外へと排出する。尾栓の復帰運動中、尾栓は弾倉を越えて後方に向かって、シャフトの方向へと摺動する。これに続く尾栓の前進運動中には、特に尾栓先端部が再び、弾倉からの最上部の弾薬筒を把持し、これを薬室内へと供給する。このサイクルが繰り返される。あるいはこのサイクルのために、リコイル装弾機構を公知の方法で使用できる。
【００１０】
弾薬筒の供給のために、弾倉後壁及び弾倉前壁の上側は、その上端に、ある特定の距離に沿った凹部をそれぞれ有して配設される。弾倉の側壁は上向きに延在して、いわゆるマガジンリップを形成し、これは弾薬筒が弾倉から落下するのを防止する。弾倉内に配設されたばねは、弾薬筒給弾装置を弾倉ハウジング内で上向きに付勢することにより、弾薬筒をマガジンリップに向かって上向きに押す。
【００１１】
従来技術から、弾倉ハウジングの下端で閉鎖された弾倉が公知であり、この弾倉においては、弾倉への弾薬筒の装弾は頂部から実施され、射手は弾薬筒を上から、給弾装置に対抗する給弾装置のばね力に対抗するように、弾倉ハウジング内へと押す。これにより、弾倉ばねの抵抗によってマガジンリップが損傷する場合があり、これは特に弾倉を頻繁に使用又は再装弾する際に当てはまる。
【００１２】
例えば連発式ライフルでは、恒久的に装備された弾倉が公知であり、この弾倉では、弾薬筒を取り出すために、下向きに開くことのできる弾倉底板が設けられている。モシン・ナガン１８９１システムのロシア製ライフル及びカラビナに関しては、ばね式ロックラグを後方に押すことによって弾倉底板を解放する。Ｈｅｙｍ  ｒｅｐｅｔｉｅｒｅｒ  ＳＲ  ２０の場合は、ヒンジ式の弾倉蓋が５個の弾薬筒を内包できる箱型弾倉を閉鎖する。弾倉蓋の解放のための弾倉蓋押し装置が、引金ガードの前部に配置される。これらの解決策は構造的に複雑であり、閉鎖及び開放のための追加の手段を必要とする。
【００１３】
更に、弾倉ハウジングから分離できる、又は完全に取り外すことができる、弾倉底板が公知である。このような弾倉底板は、弾倉を取り外す際に弾倉ハウジングから分離されるため、紛失する場合があり、不利である。
【００１４】
特許文献１から、側壁を備え、弾薬筒がこれに沿って移動する、プラスチック製弾倉が公知である。発砲方向の前壁は、側部に金属コーティング又は金属インサートを備え、弾薬筒はこれに沿ってガイドされる。
【００１５】
特許文献２は、弾倉に弾薬筒を装弾するために側方へと枢動できる側壁を備えた弾倉を開示している。
【００１６】
特許文献３は、弾倉に弾薬筒を装弾するために下方へと移動できる弾倉前壁を備えた弾倉を開示している。弾倉前壁の下方への移動は、弾倉内の給弾装置も下方へとガイドし、これによって弾倉ばねを圧縮する。
【００１７】
最後に特許文献４は、弾倉に弾薬筒を装弾する手順の間にばねの張力を低減するための機構を備えた弾倉を開示している。一実施形態では、下方へと枢動できるインサートが弾倉底板内に設けられている。そのサイズは、開放位置において弾倉インサートを弾倉ばねと共に弾倉から下方へと部分的に押し出すことができるように決定される。続いてこの枢動式インサートは、弾倉ばね及び弾倉インサートをこの位置で保持する。
【００１８】
代替実施形態では、インサートの移動後、弾倉ばねが弾倉インサートと共に、弾倉底板に形成された開口に下向きに貫入するよう、側方へと移動できるインサートが弾倉底板内に設けられる。弾倉から押し出されたインサートは横方向に突出し、射手の妨げになる場合があり、又は損傷する場合がある。
【先行技術文献】
【特許文献】
【００１９】
【特許文献１】独国特許第１０２００６０１１２７８Ｂ４号
【特許文献２】米国特許第２，４８８，２３３Ａ号
【特許文献３】米国特許第７，４９７，０４４Ｂ２号
【特許文献４】米国特許第５，０８１，７７８Ａ号
【発明の概要】
【発明が解決しようとする課題】
【００２０】
この文脈において、本発明の目的は、自動装弾式銃器のための、代替となる、構造的に簡単で信頼性の高い弾倉を提供することである。
【課題を解決するための手段】
【００２１】
この目的は、独立請求項１、１８、１９それぞれの主題によって達成される。
【００２２】
ここで一般的な弾倉は、以下の特徴を有する：弾倉底板は、弾倉閉鎖位置と弾倉開放位置との間で摺動できるよう、及び上記弾倉開放位置において弾倉ハウジング上で枢動するように設けられる。
【００２３】
請求項１８に記載の弾倉底板は、上述のような弾倉内での使用を特徴とする。
【００２４】
請求項１９に記載の銃器は、上述のような弾倉を備えることを特徴とする。
【００２５】
本発明による弾倉は、好適なプラスチック材料から製造される。例えば射出成形手順を用いた生産はコスト効率が高く、このような弾倉は、高い信頼性を特徴とする。例えばプラスチック製弾倉は、金属薄板に比べて凹みにくいが、万一の場合には破壊され得るため、射手が損傷を即座に認識できる。
【００２６】
適切に寸法設定されたプラスチック製弾倉は、金属薄板製弾倉に比べて頑丈かつ計量でもあり、また自在に成形できる。例えば７．６２×５１又は５．５６×４５ｍｍ（ＮＡＴＯ弾薬筒）のための弾倉は、弾薬筒の微小な円錐形状に基づいて、中に格納される弾薬筒のスタックの前縁部に対応するカーブを特徴とする。
【００２７】
弾倉底板は、全体的又は部分的に移動可能、かつ弾倉ハウジング上で枢動可能なものとして設計できる。これにより、弾倉底板全体又は弾倉底板上に配設されたインサートのみを、移動可能又は枢動可能なものとして設計することが可能となる。この更なる枢動可能性により、弾倉底板を弾倉ハウジングの中へ又は外へと揺動させることができ、これにより、弾倉開放位置において弾倉底板は弾倉から突出せず、従って射手の妨げにならないか、又は損傷の可能性がない。
【００２８】
弾倉底板は例えば、弾倉ハウジングの長手方向軸に対してある角度で移動できるように設計できる。構造的に簡単な実施形態では、弾倉底板は、弾倉ハウジングの長手方向に向かって横断方向に移動でき、その弾倉開放位置に到達すると更に枢動できる。この方法により、偶発的な枢動が防止される。
【００２９】
また、弾倉底板は弾倉ハウジングにヒンジ係留されているため、弾倉底板を弾倉ハウジングから完全に分解又は取り外しできるようにはなっていない。これにより、弾倉を取り外した場合に弾倉底板を紛失しないこと、又は弾倉底板が着脱不可能なものとして設計されることが保証される。
【００３０】
弾倉開放位置では、給弾装置、弾倉インサート及び弾倉ばねを弾倉軸から完全に又は少なくとも部分的に引き抜くことができる。弾倉底板の枢動後、弾倉底板は弾倉ハウジングの下側のロックを解除し、これにより弾倉ばねのばね張力が弾倉インサートを弾倉軸の外へと下向きに押す。これにより弾倉ばねの張力は完全に弛緩する。
【００３１】
弾倉底板は、簡単な構成手段を用いて、例えば射出成形手順で製造できる。
【００３２】
好ましくは、少なくとも１つの安全要素が、弾倉底板を、弾倉ハウジングからの偶発的な取り外しに対抗するように固定する。
【００３３】
上記安全要素は、弾倉底板内若しくは弾倉底板上に、及び／又は弾倉ハウジング内若しくは弾倉ハウジング上に、設けることができる。上記安全要素は、例えば射出成形手順を使用する場合は弾倉ハウジングと一体の単一部品として、又は弾倉底板内若しくは弾倉底板上の追加の要素として設計でき、あるいは弾倉ハウジング内若しくは弾倉ハウジング上に挿入できるか、又は弾倉ハウジングに連結できる。例えば、弾倉底板内若しくは弾倉底板上、又は弾倉ハウジング内若しくは弾倉ハウジング上の対応する相補的形状（凹部）への連結のために、ピン、スタッド、ボルト、ヒンジといった好適なインサート要素を設けるか又は挿入でき、これにより弾倉底板が弾倉ハウジングに固定される。
【００３４】
本発明による弾倉では、特にヒンジピンの形態の少なくとも２つの安全要素が、好ましくは弾倉底板内若しくは弾倉底板上、又は弾倉ハウジング内若しくは弾倉ハウジング上の両側に形成され、これは弾倉開放位置において弾倉底板の枢軸として機能する。
【００３５】
特にヒンジピンである上記少なくとも２つの安全要素は、弾倉底板若しくは弾倉ハウジングに挿入でき、又は弾倉ハウジング上に配置できる。
【００３６】
構造的に簡単な実施形態では、上記少なくとも２つの安全要素は、例えば射出成形手順を用いて、弾倉底板又は弾倉ハウジングと一体として形成される。両面設計又は構成はまた、弾倉底板のスムーズな移動又は枢動運動を保証する。２つのヒンジピンは、凹部、ノッチ等である場合が多い、弾倉底板内若しくは弾倉底板上、又は弾倉ハウジング内若しくは弾倉ハウジング上の相補的な対抗形成物と係合し、これによって、弾倉底板を取り外した場合に紛失し得ないことが保証される。
【００３７】
特にヒンジピンである上記少なくとも２つの安全要素は好ましくは、弾倉ハウジング内若しくは弾倉ハウジング上、又は弾倉底板内若しくは弾倉底板上に設けられた又は配設された、それぞれのガイド経路内に導入され、これにより上記少なくとも２つの安全要素を移動させることができ、及び／又は枢動させることができ、かつヒンジ係留できる。
【００３８】
ある簡単な実施形態では、ガイド経路は例えば、弾倉ハウジング内若しくは弾倉ハウジング上、又は弾倉底板内若しくは弾倉底板上のガイド溝として設けることができ、ヒンジピンは上記ガイド溝の中に、移動及び／又は枢動できるように導入される。ここでガイド溝は弾倉ハウジングの両側に又は弾倉底板上に形成され、これにより上記少なくとも２つのヒンジピンは確実かつ強固にガイドされる。
【００３９】
ヒンジピンに加えて更に、弾倉底板内若しくは弾倉底板上、又は弾倉ハウジング内若しくは弾倉ハウジング上の両側に、更なるガイド要素、特にガイドレールを設けることもできる。このようなガイドレールは、弾倉ハウジング、又は弾倉底板の内側の、幅全体又は幅の一部にわたって延在できる。上記ガイドレールは、弾倉底板内若しくは弾倉底板上、又は弾倉ハウジング内若しくは弾倉ハウジング上にこの目的のために形成された相補的なガイド溝に挿入されることになる。
【００４０】
この方法により、特に弾倉底板が弾倉開放位置及び弾倉閉鎖位置に変位又は移動する際の、弾倉ハウジングに対する弾倉底板のガイドの安定性が上昇する。この方法はまた、弾倉底板がその弾倉開放位置に到達する前に、弾倉ばねが偶発的に弾倉インサートを押して、弾倉ばねが弾倉ハウジングの外又は弾倉軸の外へと下方に押されることがないことを保証する。
【００４１】
ヒンジピンは、弾倉底板又は弾倉ハウジング上の対応する好適な位置に設けることができる。上記ヒンジピンは好ましくは、弾倉底板の前方内側、又は弾倉ハウジングの後方外側にあるように構成される。弾倉底板の前方内側に配設されるヒンジピンに関しては、弾倉ハウジングの全幅にわたる弾倉底板の案内を保証できる。この効果は、ガイドレールによって更に増強できる。
【００４２】
特に弾倉底板及び／又は弾倉ハウジング上のヒンジピンの単一部品設計の場合、弾倉底板は、弾倉からの交換及び新たな弾倉底板のはめ込みのために、例えば意図的かつ強力な変形によって取り外すことができる。しかしながらこの方法が必要となるのは稀であり、特に弾倉底板の損傷が発生した場合のみである。正常な動作では、特にヒンジピンである上記少なくとも２つの安全要素は、これらが弾倉底板を弾倉ハウジングに緊密に接続して、弾倉底板をその位置で確実に保持するよう設計される。
【００４３】
少なくとも２つのガイド経路は、少なくとも２つのヒンジピンそれぞれの運動経路を制限する少なくとも１つの限界停止要素を備えることが好ましい。構造的に簡単な実施形態では、ガイド用凹部は、弾倉底板内若しくは弾倉底板上、又は弾倉ハウジング内若しくは弾倉ハウジング上のその端部で閉鎖され、これにより各上記２つのヒンジピンは、そこで限界停止要素に対して静止することになる。この方法は更に、構造的に簡単な手段で、弾倉底板の偶発的な取り外しを防止する。またこの方法により、正確な弾倉開放位置を繰り返し規定できる。
【００４４】
弾倉底板は、好適な幾何学的構成を備える。
【００４５】
弾倉底板は好ましくは、特にランプ（ｒａｍｐ）状に設計された少なくとも１つの作動セクションを含み、これは、弾倉底板がその弾倉開放位置からその弾倉閉鎖位置へ、及びその逆に変位した場合に、弾倉の下側に相補的となるように設計された対抗セクションに対して、弾倉底板を楔留め若しくは支承するか又は解放する。
【００４６】
特に楔又はランプ状に設計された上記少なくとも１つの作動セクション、及び対応する対抗セクションは、弾倉底板が弾倉閉鎖位置に来たときに互いに対して前進し、これにより、これらのセクションは両方とも、互いに対して支承される。弾倉底板はこれによって、弾倉ハウジングに対して持ち上げられ、支承される。
【００４７】
作動セクション及び対抗セクションは、弾倉ハウジング又は弾倉底板の幅全体又は幅の一部分にわたって延在してよい。２つ以上の作動セクション及び対抗セクションを設けることもでき、これらは特に、互いに対して平行に配設又は設計される。
【００４８】
有利には、作動セクション及び対抗セクションは、弾倉底板を補強して、更なる支持表面を提供する役割も果たす。この方法は、特に弾倉を約１．３０ｍの高さから落下させる落下試験における、このような弾倉の耐久性及び安定性を改善する。
【００４９】
好ましくは、少なくとも１つのロック要素が、弾倉底板内又は弾倉底板上に設けられ、これは、弾倉底板がその弾倉開放位置からその弾倉閉鎖位置へ、及びその逆に変位した場合に、弾倉ハウジングの下側に設けられた少なくとも１つの相補的な対抗ラッチに対して、弾倉底板をロック又はロック解除する。
【００５０】
少なくとも１つのロック要素及び少なくとも１つの相補的な対抗ラッチ要素は、異なる好適な幾何学的形状を備えてよい。例えば突出した幾何学的形状、例えばラグ、突出部等を、弾倉底板の側壁に設けることができ、これは弾倉閉鎖位置において、弾倉ハウジング上の１つ又は複数の相補的な対抗ラッチ、例えば凹部に係合する。あるいは、及び／又は更に、弾倉カバー内又は弾倉カバー上、特にその側壁上の対応する対抗凹部と係合する、上記ロック要素のうちの１つ又は複数を、弾倉ハウジング上に設けることもできる。
【００５１】
更に、楔状のロックセクションを弾倉底板の側壁に特に設けてよく、これは、弾倉ハウジング内又は弾倉ハウジング上の相補的な対抗セクションと係合する。これらは有利には、弾倉ハウジング上での弾倉底板のガイド、特に確実なロックのために役立つ。このようなロック要素は、例えば射出成形手順中に単一部品として等、構造的に簡単な方法を用いて形成できる。これにより、後方での固定位置及び弾倉ハウジング上での弾倉底板のロックが保証される。例えば後方での固定位置及び弾倉ハウジング上での弾倉底板のロックは、このようにして保証される。
【００５２】
弾倉底板及び／又は弾倉ハウジングはそれぞれ、密閉されたユニットとして提供できる。
【００５３】
しかしながら、弾倉底板及び／又は弾倉ハウジングは、少なくとも１つの流体流路開口を備えることが好ましい。
【００５４】
流体流路開口は、弾倉底板又は弾倉ハウジング内に、例えばスリット形状で、砲腔の孔として、開口として、孔として等の様々な好適な幾何学的形状で設けることができる。少なくとも１つの流体流路開口は、弾倉に入り込む水等のいずれの流体、並びにそのサイズによっては、水又は流体に含有されるいずれの汚れ及び／又は堆積物をも、排出する役割を果たす。
【００５５】
流体流路開口は例えば側方若しくは中央に配設でき、又はいくつかの場合においては、分散させて配設できる。弾倉底板を貫通する少なくとも１つの流体流路開口が特に好適であることが分かっている。というのはこれにより、流体を、自動装弾式銃器に挿入された弾倉内へと単に下向きに排出できるためである。
【００５６】
好ましくは、少なくとも１つの凹部が弾倉ハウジングの下側に設けられ、これは、弾倉ハウジングと弾倉底板との間に流体流路開口を形成する役割を果たす。
【００５７】
この切り欠きセクションは、弾倉の下側の幅全体若しくは幅の一部分又は断面にわたって延在してよい。これは特に弾倉ハウジングの下側の前部に設けることができ、これにより、弾倉閉鎖位置において弾倉底板と弾倉ハウジングとの間にスロット又は空隙が形成され、流体を弾倉から外へと排出できる。上記切り欠きセクションは、例えば弾倉の製造中に、簡単な構成手段を用いて形成できる。
【００５８】
弾倉軸内又は弾倉軸上、特にその後壁の内側には、好ましくは、少なくとも１つの相補的な対抗ガイド要素をガイドするための少なくとも１つのガイドセクションが、弾倉インサート内若しくは弾倉インサート上、及び／又は給弾装置内若しくは給弾装置上に設けられる。
【００５９】
ガイドセクションは、例えば弾倉ハウジング全体を通って長手方向に、又はその一部のみを通って延在する、溝又はリブ又はガイドレールとして、構造的に簡単な設計で設けてよい。弾倉インサート又は給弾装置の中又は上に設けられる対応する対抗ガイド要素は例えば、好適な幾何学的形状で作製された相補的なリブ、突出部として設けてよく、これは上記溝と係合するか、又は弾倉インサート内若しくは給弾装置内の溝若しくは凹部として設けられる。ガイドセクションは一方ではガイドとして機能するが、他方では弾倉ハウジング内の給弾装置及び／又は弾倉底板のための支持体としても機能する。
【００６０】
好ましくは、弾倉インサート及び／又は給弾装置のガイドのための少なくとも１つのガイド要素を、弾倉軸内、特に側壁の及び／又は前壁の内側に設ける。
【００６１】
少なくとも１つのガイド要素は、例えばリブ、バー又はレールの形態で、例えば側壁の両側に設けられたガイドリブとして、設けることができ、その上では、弾倉インサート及び／若しくは給弾装置が支持され、並びに／又は弾倉インサート及び給弾装置それぞれがガイドされる。また、弾倉軸の前壁の内側にガイドリブを設けることもでき、これは弾倉ハウジングの長さ全体又は長さの一部分にわたって延在し、弾倉インサート及び／又は給弾装置をガイドするために使用される。同様に、弾倉インサートは前部がこのガイドリブ上に静置されるが、特に給弾装置の場合にはこれは必須ではない。
【００６２】
ある好ましい実施形態では、給弾装置は、側壁、及び／又は弾倉後壁のガイドセクションにおいて、ガイド要素又はリブ上でのみ支持されるように設計される。
【００６３】
更に、又はあるいは、更なるガイドのために、例えばリブ等の更なるガイド要素を、特に弾倉ハウジングの上部に、例えばマガジンリップの前端部の領域の中央に、設けることができる。
【００６４】
出願人は、弾倉ハウジング及び／又は給弾装置の上記実施形態に対する独立した保護を要求する権利を留保する。
【００６５】
弾倉ハウジングは、弾倉の装弾状態をチェックするための少なくとも１つの視認用切り欠き部及び／又はインサートを備えることが好ましい。
【００６６】
視認のための少なくとも１つの切り欠き部は、弾倉ハウジングの後ろ側、及び／又は一方若しくは両方の側壁上に設けることができる。視認のための切り欠き部は例えば、特に半透明又は透明のインサート要素が挿入されて適切に固定、例えば接着又はラッチ係合される、凹部として設けることができる。
【００６７】
更に弾倉ばねを、例えば１つのコイルへの着色によって標識でき、これにより射手は、視認のための切り欠き部又はインサート内における着色された標識の位置に応じて、弾倉内に依然として内包されている弾薬筒の個数を検出できる。というのは、弾倉ハウジング内に挿入された弾薬筒は弾倉ばねを圧縮するためである。更に、視認のための切り欠き部に加えて、位置ライン、数字といった好適な標識を弾倉ハウジング上に設けてもよい。
【００６８】
給弾装置及び弾倉インサートは好ましくは、弾性要素、特に弾倉ばねを介して互いに連結され、予荷重によって弾倉閉鎖位置に保持される。
【００６９】
この方法により、弾倉ハウジング内での給弾装置及び弾倉インサートの確実な案内が保証される。これにより弾倉ばねの各端部は、それぞれ弾倉装置又は弾倉インサートに連結される。従って給弾装置は、その下側に、特にループである受承用開口を備え、弾倉ばねの端部がその中に挿入される。受承用ループは例えば、補強用セクション内の、給弾装置の下側の中央位置に形成できる。
【００７０】
また例えば、弾倉インサートの上側の補強セクションに、弾倉ばねの端部を受承するループを設けることもできる。これに加えて、限界停止要素を弾倉インサートの上側又は給弾装置の内側に設けることができ、これはばねの端部の挿入を制限する。
【００７１】
好ましくは、弾倉インサートはその下側に、弾倉底板に相補的なものとして形成された凹部と連結するためのロックタブを含み、これは弾倉底板を弾倉閉鎖位置で保持する。
【００７２】
あるいはロックタブを弾倉底板上に設けることもでき、これは弾倉インサートの凹部に係合できる。
【００７３】
弾倉閉鎖位置では、弾倉ばねは給弾装置を上向きに、及び弾倉インサートを下向きに付勢する。弾倉底板がその弾倉開放位置から弾倉閉鎖位置へと移動すると、弾倉インサートはまず、弾倉ばねの力に対抗して弾倉軸内へと押され、その後、弾倉底板は弾倉インサートの枢動後に移動できる。ロックタブの通過後、ロックタブは弾倉底板の凹部と係合し、弾倉底板を弾倉閉鎖位置で確実にロック又は係合する。この方法により、弾倉底板の偶発的な開放が防止される。
【００７４】
好ましくは、弾倉インサートの下側は、ロックタブの領域内において、少なくとも部分的に深くなったセクションを備える。
【００７５】
この深掘りは、弾倉インサートの下側の表面全体又は表面の一部にわたって延在してよい。弾倉インサート上の側方リブは特に、この深掘りを制限する役割を果たすことができる。この深掘りは特に、射出成形手順等を用いて、弾倉インサートの製造中に形成できる。
【００７６】
特に弾倉インサート上の側方リブとの組み合わせによって、弾倉インサートの下側の深掘り表面と弾倉底板の内側との間の距離を保証でき、この距離を通して、例えば流体を、特に上述の流体流路開口との組み合わせによって、簡単に排出できる。
【００７７】
給弾装置の、特にその前部の外側の領域に、少なくとも１つの凹部を設けることが好ましい。上記少なくとも１つの凹部は、両側に形成又は配設されることが好ましい。
【００７８】
構造的に簡単な手段を用いることで、この方法は、特に不利な条件下における、弾倉軸内の給弾装置の機能性及び特に長手方向のガイドを改善できる。例えば弾倉ハウジング等に侵入する又は侵入した汚れ、砂、ごみ等を取り除く必要がなくなる。というのは、汚れを上記側方凹部内で落ち着かせることができるためである。更にこれにより、給弾装置の重量、従って弾倉全体の重量を更に削減でき、有利である。更に、得られる中空空間は、簡単に清掃できる。
【００７９】
給弾装置は好ましくは、その上側に少なくとも１つのスペーサを備える。
【００８０】
スペーサは、その幾何学的構成において、弾薬筒の寸法に概ね対応していてよく、またその全体又は一部が、給弾装置の長手方向に沿って延在する。従って、ジグザグのガイドによって弾薬筒が弾倉内で２列に並んだ構成では、最後の弾薬筒を確実に給弾できる。特に弾倉内に残っている最後の弾薬筒、又は弾倉に挿入される最初の弾薬筒を、スペーサ上で支持できる。スペーサは、例えば射出成形手順を用いて、給弾装置の製造中に構成的に簡単な方法で製造できる。
【００８１】
これより、本発明の実施形態について、添付の概略図を参照して更に説明する。
【図面の簡単な説明】
【００８２】
【図１】図１は、本発明による閉鎖された弾倉底板を備える、本発明による弾倉の、右前方からのある角度の視点における斜視図である。
【図２】図２は、ばねを介して弾倉インサートに接続された給弾装置の、左側からの側面図である。
【図３】図３は、図１の弾倉の、右側からの側面図である。
【図４】図４は、図１の弾倉の、左後方からの視点における斜視図である。
【図５】図５は、図１の弾倉の、後方からの斜視図である。
【図６】図６は、図１の弾倉の、前方下側からの斜視図である。
【図７】図７は、弾倉底板を備えない、図３の弾倉の別の側面図である。
【図８】図８は、図７の弾倉ハウジングの下からの斜視図である。
【図９】図９は、図７の弾倉ハウジングの上からの斜視図である。
【図１０】図１０は、図１、３〜６の弾倉底板の、前方上側からのある角度の視点における斜視図である。
【図１１】図１１は、図１０の弾倉底板の下からの斜視図である。
【図１２】図１２は、４５°の角度で枢動した弾倉底板を備える図１、３〜６の弾倉の、上下逆の側面図である。
【図１３】図１３は、図１２の弾倉の、前方からのある角度の視点における斜視図である。
【図１４】図１４は、完全に枢動した弾倉底板を備える、図１２の弾倉の更なる側面図である。
【図１５】図１５は、弾倉底板の後端セクションを通る部分断面を有する、図１２〜１４の弾倉の詳細断面斜視図である。
【図１６】図１６は、弾倉底板を通る長手方向断面を含む、図１２〜１４の弾倉の更なる詳細斜視図である。
【図１７】図１７は、弾倉底板の更なる長手方向断面図を含む、図１２〜１４の弾倉の更なる詳細斜視図である。
【図１８】図１８は、左後方からのある角度の視点における、弾倉底板を通る横断方向断面を含む、図１２〜１４の弾倉の更なる詳細斜視図である。
【図１９】図１９は、弾倉ハウジングの下部及び弾倉底板を通る部分断面を含む、図１２〜１４の弾倉の後方からの斜視図である。
【図２０】図２０は、弾倉ハウジングの長手方向断面と、前方下側からのある角度の視点における弾倉カバーの部分的な前部断面とを含む、図１２〜１４の弾倉の後方からの更なる詳細斜視図である。
【図２１】図２１は、前方上からの視点における、弾倉ばねが連結された弾倉インサートの詳細斜視図である。
【図２２】図２２は、前方上からのある角度からの、図２１の弾倉インサートの図である。
【図２３】図２３は、前方下からの視点における、図２２の弾倉インサートの図である。
【図２４】図２４は、図２２、２３の弾倉インサートの、右側からの側面図である。
【図２５】図２５は、ばねが連結された図２の給弾装置の、前方下からの詳細斜視図である。
【図２６】図２６は、上からのある角度での、図２５の給弾装置の正面図である。
【図２７】図２７は、下からのある角度の視点における、図２５、２６の給弾装置の詳細斜視図である。
【図２８】図２８は、挿入された給弾装置を備える弾倉の上面斜視図である。
【発明を実施するための形態】
【００８３】
本発明による弾倉１及び弾倉底板１１の構造及び機能性について、まず図１〜５に基づいて議論する。
【００８４】
明瞭性に影響しないよう、参照記号は全ての図面に常に挿入されているわけではない。しかしながら、同一の参照記号が全ての図面に常に適用される。
【００８５】
図１は、本発明による弾倉１全体の、右前方からのある角度からの斜視図である。この例では、弾倉１はアサルトライフル用に提供されており、口径５．５６×４５の弾薬筒３０個の保持能力を有し、基本的に以下の要素を備える：弾倉ハウジング３、摺動式かつ枢動式の弾倉底板１１、弾倉ハウジング３内で長手方向に移動できる給弾装置１５。この給弾装置１５は弾倉ばね１７を介して弾倉インサート１９に連結され、弾倉インサート１９も同様に弾倉ハウジング３内で長手方向に移動できる（図２参照）。
【００８６】
弾倉ばね１７はその下端において弾倉インサート１９に、そしてその上端において給弾装置１５に取り付けられ、弾倉ハウジング３内の弾倉軸１０内でこの給弾装置１５を上向きに押す。そして給弾装置１５は弾薬筒（図示せず）を上向きに押し、これにより上述のサイクルを、発砲及び再装弾中に実施できる。本実施形態は、２列型弾倉を示す。従って弾薬筒は２つの隣接する列として配置され、この２列の中の個々の弾薬筒は、互いに対してジグザグに配置される。
【００８７】
弾倉ハウジング３は基本的に直方体に、場合によっては箱型又は管状弾倉として設計され、２つの側壁５ａ、５ｂを備え、これらはそれぞれ前壁７及び後壁９によって単一部品として接続される。弾倉底板１１は弾倉ハウジング３の底部に、摺動及び枢動可能にヒンジ係留される。弾倉ハウジング３の上側には、弾倉ハウジング３の略中央の両側に、後方に向かって延在するマガジンリップ１３ａ、ｂが設けられ、これは弾倉ハウジング３内に弾薬筒を保持する。弾倉ハウジング３内では、図２に示す給弾装置１５が、長手方向に移動できるように弾倉ハウジング内でガイドされる。給弾装置１５は弾倉ばね１７を介して弾倉インサート１９に連結される。そして弾倉インサート１９は弾倉底板１１に連結され、これによって弾倉底板１１を、その弾倉閉鎖位置において弾倉ハウジングにロックするよう構成される（特に図１、３〜６を参照）。
【００８８】
図１は空の弾倉を示す。弾倉を取り外すために、まず弾倉底板１１を、弾倉ハウジング３上で、その弾倉開放位置へと後方に移動させる（図１２〜１４を参照）。弾倉開放位置では、弾倉底板１１は枢動して、弾倉ハウジング３の外側表面に対面して静止できる（図１２〜１４を参照）。弾倉底板１１の枢動後、弾倉底板１１は弾倉ハウジング３の下側をロック解除し、これにより、弾倉ばね１７のばね張力が弾倉インサート１９を、弾倉軸１０の外へと下向きに押す。これにより弾倉ばね１７の張力は完全に弛緩する。給弾装置１５と共に、弾倉インサート１９及び弾倉ばね１７もまた、弾倉１から外へと下向きに、少なくとも部分的に又は完全に取り出すことができる。
【００８９】
弾倉の設置のために、給弾装置１５及び弾倉インサート１９は弾倉ばね１７と共に弾倉軸１０内へと上向きに移動でき、給弾装置１５がマガジンリップ１３ａ、ｂに対面して静止した状態となったとき、弾倉ばね１７は圧縮されている。次に弾倉底板１１を、まず弾倉インサート１９を介して枢動させ、続いてその弾倉閉鎖位置へと押し込み、弾倉インサートに確実にラッチ係合させることができる（特に図１、３〜５、１７、１８、２３、２４参照）。
【００９０】
弾倉１をアサルトライフル等の自動装弾式銃器（図示せず）に挿入した後、弾薬筒を発砲できるように弾倉１からの弾薬筒を薬室（図示せず）に給弾でき、また上述のような閉鎖移動によって、単射、連射等の発砲モードに応じて発砲後に空の薬莢を除去できる。発砲モードに応じて、１発若しくは数発が発砲されるか、又は弾倉が完全に空になる。そして給弾装置１５は、弾薬筒を公知の様式でマガジンリップ１３ａ、ｂに向かって上向きに押す。
【００９１】
最後の弾薬筒が発砲された後、弾倉を下方へと取り外すことができ、又は公知の弾倉解放／保持デバイスによって自動装弾式銃器から落下させ、新たな弾倉を挿入できる。
【００９２】
弾倉１は、図１に示すように、バー２１の形状の複数の隆起部と、中間の凹部又は溝２３とを、弾倉ハウジング３の表面に備える。これらはいずれの好適な幾何学的形状で構成でき、一方では弾倉ハウジング３の視覚的デザインのため、他方では特に手袋を使用する際の及び／又は汚れ、氷、雪等といった厳しい条件下における弾倉１の良好な触感及び把持のために役立つ。
【００９３】
弾倉ハウジング３はその上側（およそ１／３）の正面７に、両側部に形成された、弾倉ハウジング３の長手方向に延在する深掘り部を備える。これらは弾倉１の良好な把持のために役立つ。更に射手は、弾倉１の前側を容易に感じ取ることができ、これにより、暗所であっても、弾倉１を自動装弾式銃器の弾倉スロット（図示せず）に挿入できる。
【００９４】
前壁７の外側下部において弾倉ハウジング３は幅広となり、また受け部２５ａ、ｂを含み、これらは両側において、弾倉底板１１に向かって下向きに傾斜して楔状に延在する。これらは、弾倉底板１１のための限界停止要素及び対抗ラッチとして機能して、相補的な対抗ガイド・限界停止表面２７ａ、ｂを収容し、弾倉下側を補強する。
【００９５】
概ね矢印状の装弾レベルインジケータ２９ａ、ｂがそれぞれ、弾倉の両側壁５ａ、ｂに設けられ、また後方レベルインジケータ３１が後側９に設けられる（図３〜５も参照）。これらは、例えば接着又は射出成形によって、例えば透明プラスチックインサート等の視認用窓として弾倉１に挿入できる。弾倉ばね１７の１つのコイルの着色標識は、例えばスプレーで設けてよく、これは装弾レベルインジケータ２９ａ、ｂ及び／又は３１を通して外側から認識できる。弾倉ばね１７の圧縮の程度に応じて、弾倉１の装弾レベルを、標識されたコイルによって間接的に検出できる。この目的のために、例えば並列の標識、例えばバー３４（図５を参照）と数字インジケータ（図７又は１２〜１７）との組み合わせによって、およそ５個、１５個又は２５個の利用可能な弾薬筒といった弾倉の装弾レベルを、射手に知らせることができる。
【００９６】
図３は、図１の弾倉１の右側からの側面図である。図４は、図１の弾倉１の、左後方からのある角度からの斜視図である。弾倉ハウジング３の上部およそ１／３には、左側にマガジンキャッチ３３が形成されており、これによって弾倉１は公知の方法で自動装弾式銃器の弾倉軸にロックされる。
【００９７】
弾倉ハウジング３の後壁９上には突出リブ３５が設けられ、これはおおよそ上述の上部１／３に沿って延在し、弾倉軸１０内の後壁９の内側のガイド溝３７として設計される。ガイド溝３７は、後壁９に沿って弾倉ハウジングの内側の全長にわたって延在し、給弾装置１５上の相補的な対抗形成物３９（図２５〜２８を参照）、及び弾倉インサート１９上の相補的な対抗形成物又はガイド用延長部分１０５（図２１〜２４を参照）をガイド及び／又は支持するために設けられる。リブ３５の両側では、弾倉ハウジング３の後壁９は、上方向にマガジンリップ１３ａ、ｂに向かう溝を備える。凹部４１ａ、ｂは、アサルトライフルの弾倉軸内で弾倉１をガイドする役割を果たす。
【００９８】
図５は、後方装弾レベルインジケータ３１と、バー状標識３４との詳細図である。弾倉後壁９上には、２つのマガジンリップ１３ａ、１３ｂの間に、略半円状の凹部４３が設けられる。これは、ロック動作中に前方へと移動するロックヘッド（図示せず）がその下側で、弾倉１内に格納された弾薬筒の弾薬筒底部を把持し、これを弾倉ハウジング３から出して薬室（図示せず）に挿入するように、寸法設定される。
【００９９】
図６から分かるように、概ね直方体の形状の凹部４５が弾倉ハウジング３の上部前壁７に、マガジンリップ１３ａ、ｂの延長部分として設けられており、これはおおよそ、２つの側壁５ａ、ｂ間の、前壁７の幅にわたって延在している。弾倉１の下側には、弾倉底板１１が、前方下側からある角度で図示されている。弾倉底板１１の周囲の下縁部４７は面取りされている。弾倉底板１１は楕円形の開口４９を概ね中央に備え、これは、弾倉底板１１のロック状態において、弾倉インサート１９上の相補的なロックタブ５１と、図示されている弾倉閉鎖位置で係合する（図１０、１１、１３、１７、１８、２０を参照）。弾倉底板の長手方向には、弾倉１に入ったいずれの水又は他の流体を下方へと排出するために、２つの流体流路開口５３ａ、ｂが設けられる（図１０、１１、１３、１７、１８、２０を参照）。
【０１００】
図７は、弾倉底板１１を含まず、後方バー３４の数字又は装弾レベルインジケータ２９ａを含む、本発明による弾倉１の実施形態を示す。弾倉ハウジング３はその下側５７の後端に楔状セクション５５を含み、これはおおよそ後壁９の下部にわたって延在する（図８、１２、１４、１５、１６も参照）。楔状セクション５５により、弾倉底板１１をその弾倉開放位置において折りたたみ、上向きに枢動させることができる（図１２〜１７も参照）。
【０１０１】
概ね平行に延在するよう配設された２つのガイド溝セクション５９ａ、ｂ及び６１ａ、ｂは、弾倉ハウジング３の下端部分において、側壁５ａ、ｂの略全幅にわたって延在する。これらはいずれも溝状に形成され、中間バー６３によって互いから隔てられる。上側ガイド溝６１ａ、ｂは、ガイド経路凹部３７に向かう方向にガイド溝５９ａ、ｂよりもわずかに長く、又は更に前壁７まで、延在する。ガイド溝６１ａ、ｂは、弾倉底板１１の両側に形成された相補的なガイドピン６５ａ、ｂを収容するために使用される（図１０、１２〜１４、１９、２０を参照）。ガイドピン６５ａ、ｂは、ガイド溝６１ａ、ｂの寸法に対して概ね相補的となるように設けられ、これによって弾倉底板１１を、ガイド溝６１ａ、ｂにおいて長手方向にガイドできる。
【０１０２】
ガイド溝５９ａ、ｂは、弾倉底板１１の内側壁９１内の両側に配設された、概ね相補的な寸法を有するガイドレール６７ａ、ｂを収容するために設けられる（図１０、１８、１９を参照）。弾倉開放位置では、弾倉底板１１を取り外す際、ガイドレール６７ａ、ｂはガイド溝５９ａ、ｂから係合解除される。弾倉底板１１をその閉鎖位置へと移動させると、ガイドレール６７ａ、ｂはガイド溝５９ａ、ｂと係合し、これによって弾倉底板１１の枢動又は折りたたみが防止され、弾倉底板１１のガイドが安定化される。
【０１０３】
図８は、弾倉１の下側５７を下方から図示し、図９は弾倉１の上面斜視図である。ガイド溝３７は、ハウジングの後壁９の全長にわたって延在する。弾倉軸１０内では、２つのガイドリブ６９ａ、ｂが、弾倉ハウジング３の２つの側壁５ａ、ｂの内側に、後壁９に対して平行な弾倉３の全長にわたって両側に、わずかに離間して延在する。これらガイドリブ６９ａ、ｂの機能は、弾倉ハウジング３内で弾倉インサート１９の後部をガイドすることである（図１７、２１〜２４も参照）。これを達成するために、弾倉インサート１９は両側に、相補的な半円状のガイド凹部７１ａ、ｂを備える。
【０１０４】
前壁７に対して距離を有して、更なるガイドリブ７３ａ、ｂがそれぞれ前壁７に向かって平行に、弾倉ハウジング３の全長に沿って、弾倉ハウジング３の内壁の両側に延在する。これらは後方に向かって、後壁９の方向に、側壁５ａ、ｂの内側に対して略直角に整列され、また前壁７に向かう方向に前方へと楔状に延在し、そこから、前壁７の内側に向かう更なる楔状セクション７５ａ、ｂへと変形する。
【０１０５】
これに加え、前壁７の内側に、内側に向かって突出するリブ７７が設けられ、これは弾倉ハウジングの内側へと、その全長にわたって長手方向に延在する。その目的は、前壁７の内壁の補強、並びに給弾装置１５及び弾倉インサート１９の前側のガイドである。従って弾倉インサート１９はその前端に凹部７９を備え、これは前壁７に対面し、前壁７に対して概ね相補的である（図２１〜２３を参照）。
【０１０６】
給弾装置はその前端に凹部８１を備え（図２５〜２８を参照）、これは、給弾装置が、弾倉ハウジング３内で上下に移動する際に、前壁７に対面するその端部においてリブ７７上で静止しないものの、（対応する許容誤差を含んで）少なくとも部分的にリブ７７に沿って単にガイドされるように、設計される。
【０１０７】
図１０は、弾倉底板１１の、前方上側からのある角度からの斜視図である。弾倉底板１１はその前側において、側方ガイドセクション８３ａ、ｂの上側前端に２つのガイドピン６５ａ、ｂを備える。これらの下には、ガイドレール６７ａ、ｂが、側方ガイドセクション８３ａ、ｂの全長に沿って、両側に長手方向に延在する。
【０１０８】
ガイドピン６５ａ、ｂの下側では、側方ガイドセクション８３ａ、ｂの前側が波型の対抗ガイド・限界停止セクション２７ａ、ｂに融合し、この対抗ガイド・限界停止セクション２７ａ、ｂは、弾倉閉鎖位置において、弾倉底板１１の波型ガイド・限界停止セクション２５ａ、ｂに対して静止する（図１、３〜５を参照）。弾倉底板１１の前方下側は概ね半円状に延在し、その前縁部はわずかに上向きに傾斜して延在する。弾倉閉鎖位置において、弾倉底板１１の前縁部８５と前壁７の前方下側との間には、流体の排出のための間隙が形成され、これにより例えば弾倉１に入った水又は他の流体が下方へと流出できる。この効果を増強するために、前壁７の下側に平坦な切り欠き部８７が設けられ（図１、３、６を参照）、これにより流体の排出が更に改善される。
【０１０９】
弾倉底板１１の概ね中央には、弾倉閉鎖位置において又は弾倉底板の設置状態において弾倉インサート１９のロックタブ５１と係合するための、楕円形の開口又は切り欠き部４９が設けられている。楕円形の流体流路開口５３ａ、ｂが、弾倉底板１１の長手方向に、開口４９の前方及び後方に設けられ、これらは前方の流体通過スリットに加えて、弾倉ハウジング３からの流体の排出のために機能する。
【０１１０】
弾倉底板１１は概ね楕円形に設計され、側方ガイドセクション８３ａ、ｂはＵ字型の制限を提供する。２つの側方ガイドセクション８３ａ、ｂは、後壁９に対面しているその後端において、互いに対して半円状に融合する。後壁の又は後方ガイドセクション８８の内側上又はその中には、概ね三角形のラッチ係合用限界停止要素８９ａ、ｂが、弾倉底板１１の丸みを帯びた縁部内の両側に形成され、これらは弾倉底板１１の内壁９１の上方およそ１／３に、略直角に延在する。これらのラッチ係合用限界停止要素８９ａ、ｂは、弾倉ハウジング３の後壁９の下側の両側に形成されたラッチ係合用切り欠き部６４ａ、ｂに対して相補的なものとして設けられる（図１５、１６、１８を参照）。弾倉底板１１が閉鎖されている場合、ラッチ係合用切り欠き部６４ａ、ｂは、ラッチ係合用限界停止要素８９ａ、ｂと係合する。
【０１１１】
後壁の、又は後方ガイドセクション８８の内側から、２つの更なるガイドセクション９５ａ、ｂが、弾倉底板１１の長手方向に楔状に、凹部４９の方向へと延在する。一方ではガイドセクション９５ａ、ｂは、弾倉底板１１の後方縁部セクションの、後壁８８の領域での補強の機能を有し、これにより、現在公表する必要がある、特に落下試験中の弾倉１の寿命及び耐久性が上昇する。更にガイドセクション９５ａ、ｂは、弾倉底板１１をその閉鎖位置へと移動させた場合、これもまた相補的な楔状に形成された対抗ガイドセクション５５と係合する。弾倉底板１１及び対抗ガイドセクション５５はこれにより互いを支承する。
【０１１２】
弾倉底板１１の上側には、側方ガイドセクション８３ａ、ｂ及びこれらを接続する後壁８８が、上方に向かって面取りされている。この面取りにより、引っ掛かる場合がありかつ清掃が困難な、鋭利な縁部が回避される。
【０１１３】
図１１は、楕円形開口４９と２つの流体流路開口５３ａ、ｂとを備える弾倉底板１１を、下方から図示している。弾倉底板の下側周縁部９７もまた、面取りされた設計となっている。
【０１１４】
図１２は、弾倉底板１１をその弾倉開放位置又は取り外し位置で図示しており、この位置では弾倉底板１１は完全に後方へと押され、更に弾倉ハウジングの方向に、およそ４５°だけ上方へと枢動している。ガイドピン６５ａ、ｂは、ガイド溝６１ａ、ｂ内でのその後方限界停止位置にあり、この位置では両側の限界停止要素６２ａ、ｂが、弾倉底板１１が後方へと更にシフトするのを防止している。この位置では、ガイドレール６７ａ、ｂは側方ガイドセクション８３ａ、ｂの内壁上で、後方に向かって開いたガイド溝５９ａ、ｂから係合解除されており、これにより弾倉底板１１の枢動移動が可能となる。これによりガイドピン６５ａは枢軸として機能する。これに加えて、楔状セクション５５が弾倉底板１１の枢動に必要であることが明らかとなる。
【０１１５】
図１３は、４５°だけ上方へと枢動している弾倉底板１１と、弾倉ハウジング３に挿入された弾倉インサート１９との斜視図である。この位置では、弾倉インサート１９を引き止める必要がある。というのは、そうしなければ弾倉ばね１７が弾倉インサート１９を弾倉ハウジング３の外へと下向きに押し出すためである。マガジンキャッチ３３は、弾倉底板１１の切り欠き部又は楕円形開口４９に対して相補的に形成される。その下側において、ロックタブ５１の表面はノブ状の構造を備え、これは滑り止め表面として機能し、またこれにより、射手が様々な条件下で及び／又は手袋を用いてこれを使用できるようになる。
【０１１６】
リブ１０１ａ、１０１ｂは、弾倉インサート１９の下側９９において、長手方向に両側に延在し、これらの間には、弾倉インサート１９の下側の残りの部分にわたって平坦な深掘り部１０３が延在する。弾倉閉鎖位置では弾倉底板１１の内側はガイドバー又はリブ１０１ａ、ｂ上で静止し、これにより、弾倉インサート１９の下側の残りの表面にわたって間隙が形成される。これにより、流体を弾倉ハウジング３の内側から排出して、２つの流体流路開口５３ａ、ｂと、弾倉底板１１の前縁部８５と弾倉ハウジング３の前壁７の下側の平坦な切り欠き部８７との間に形成されたスリットとを介して、流体を弾倉１から排出できる（図３、６、８、１４、１５を参照）。
【０１１７】
図１４は、完全に枢動した又は折りたたまれた弾倉底板１１を示し、これは弾倉ハウジング３の後壁９に対して静止している。これにより、弾倉ハウジング３又はその後壁９は、限界停止要素を提供し、弾倉底板の運動半径を制限する。
【０１１８】
図１５は、その閉鎖位置における弾倉底板１１の拡大詳細図であり、ラッチ係合用限界停止要素８９ａは、後壁９のラッチ係合用切り欠き部６４ａとの係合位置で図示されている。同様に断面図では、楔状ガイドセクション９５ａ、ｂが後壁９の後側の対抗ガイドセクション５５においてどのように静止するかが図示されている。これは、弾倉底板１１の長手方向断面図である図１６からも知ることができる。
【０１１９】
図１７は、弾倉底板１１が中央付近で長手方向に切断された更なる斜視図である。図１８は、弾倉底板１１が横断方向に部分的に切断された斜視図である。
【０１２０】
図１９は、弾倉底板１１が横断方向に部分的に切断された斜視図であり、ガイドピン６５ａ、ｂはガイド凹部又はガイド溝６１ａ、ｂ内に配置され、ガイドレール６７ａ、ｂはそれぞれ、ガイド溝５９ａ、ｂの内側にある。
【０１２１】
図２０は、弾倉ハウジング９の下側を通る断面と、弾倉底板１１の前方の側方ガイドセクションの、ヒンジピン又はガイドピン６５ａ、ｂを通る下方からの部分断面とを用いて、弾倉ハウジング３を示す。
【０１２２】
図２１は、弾倉ばね１７に連結された弾倉インサート１９の拡大図である。弾倉インサート１９の外側寸法は、弾倉ハウジング３の、又は弾倉軸１０の内側寸法に対して概ね相補的となるように形成される。弾倉インサート１９は基本的に、立方体かつ板状に形成される。その後端にはガイド用延長部分１０５が略中央から突出し、これは弾倉ハウジング３の後壁９のガイド凹部３７内でガイドされる。弾倉インサート１９の後側は、丸みを帯びた角を介して、互いに対して平行に延在する側縁部１０７ａ、ｂに融合する。これらはその後部セクションにおいて、半円状のガイド凹部７１ａ、ｂに貫通され、これらガイド凹部７１ａ、ｂは、弾倉ハウジング３の側壁５ａ、ｂの内側のガイドリブ６９ａ、ｂに沿った上述のガイドのために設けられる。
【０１２３】
前端に向けて、弾倉インサート１９は前方およそ１／４で幅狭になり、２つのヒール１０９ａ、ｂをそこに形成する。これらのヒール１０９ａ、ｂは、弾倉ハウジング３の側壁５ａ、ｂの内側のガイドリブ７３ａ、ｂに対して概ね相補的なものとして設けられる（図８、１３、１７、２０を参照）。これに続く、弾倉インサート１９の幅狭ガイドセクション１１１は、その前側の略中央に前方切り欠き部又は凹部７９を含み、これは弾倉ハウジング３の前壁７の内側のガイドリブ７７に対して相補的なものとして設けられる。
【０１２４】
弾倉インサート１９の上側には保持構造体１１３が上向きに延在し（図２２を参照）、弾倉ばね１７と連結される。この保持構造体１１３は、弾倉インサート１９と単一の部品として設けられ、弾倉インサート１９の長手方向に延在する長手方向リブ１１５を、弾倉インサート１９の長手方向に対して横断方向に延在する２つの横断方向リブ１１７ａ、ｂと共に含む。長手方向リブ１１５は、両側の丸みを帯びた制限バー１１９ａ、ｂによって制限される。
【０１２５】
保持構造体１１３は、弾倉ばね１７に対して概ね相補的となるように寸法設定され、これにより弾倉ばね１７の第１のコイルは、２つの制限バー１１９ａ、ｂの周囲を把持する（図２１、２２、２４を参照）。弾倉ばね１７の端部１２１は概ね直角に曲げられ、２つの横断方向リブ１１７ａ、ｂの間において長手方向リブ１１５の下側に形成された経路１２３を通って延在する。長手方向リブ１１５の、ばねの端部１２１に対向する側には、上向きに延在する制限バー１２５が形成され、これは横断方向リブ１１７ａを概ね直角に、後方まで延在させる。制限バー１２５は、弾倉ばね１７の端部１２１の挿入深さに関する境界を提供する。
【０１２６】
図２３は、弾倉インサート１９の下側９９の斜視図である。中央付近には、楕円形のロックタブ５１が下向きに突出し、これは弾倉底板１１の開口４９とのラッチ係合のために設けられる。両側のリブ１０１ａ、ｂの間には、流体の排出のために、上述の平坦な深掘り部１０３が設けられる。
【０１２７】
図２４は、弾倉インサート１９の右側からの側面図である。図２５は、弾倉ばね１７と連結した給弾装置１５を示す。図２６、２７では、給弾装置１５が２つの詳細斜視図で図示されており（図２６では右側から、図２７では左側から）、図２８では、弾倉ハウジング３に挿入される際の給弾装置１５を上方からの上面図で示す。
【０１２８】
弾倉ばね１７と給弾装置１５との連結のために、弾倉ばね１７の上端セクション１２７は、内側へ向かって略直角に曲げられ、給弾装置１５に設けられたループ１２９を通って延在する。給弾装置１５は単一部品成形物として設計され、これは上面図において概ね三角形の断面を備え、その寸法は、弾倉ハウジング３の内側寸法に対して概ね相補的となるよう構成される。給弾装置の上側には、隆起部又はスペーサ１３１が設けられ、これは概ね、薬莢の長さに略対応する長手方向全体にわたって延在し、これはその内側に、そこに配置される弾薬筒（図示せず）のための支持表面１３３を形成する。上述のように、弾薬筒は弾倉ハウジング３内に、公知のジグザグの様式で格納される。従って、最も下にある弾薬筒は、隆起部１３１の支持表面１３３の隣の左側にある。次の弾薬筒は隆起部１３３上に配置され、従って最初の弾薬筒に比べて右側にシフトされており、基本的には隆起部１３１上、部分的には最初の弾薬筒（図示せず）の上で静止する。このような給弾装置表面の構成により、弾倉ハウジング３からの一定の弾薬筒の給弾が保証される。
【０１２９】
給弾装置１５の前側は、前方に上述の切り欠き部又は凹部８１を備えるが、これは弾倉ハウジング３の前壁７の内側の長手方向リブ７７上で静止しない。その代わり、直角の対抗ガイドセクション１３５ａ、ｂが下向きに延在し、これは弾倉ハウジング３内の両側、より正確には側壁５ａ、ｂの内側に設けられた、長手方向リブ７３ａ、ｂ上で静止する。給弾装置１５の高さはその長さの２／３に略対応する。
【０１３０】
給弾装置１５の前方外側１３７ａ、ｂは、凹部１３９ａ、ｂによって下向きかつ内向きに大きく刳り抜かれる。一方では、この方法は重量の削減という目的を有し、また他方では、弾倉ハウジング３内での給弾装置の移動の、汚れによるいかなる妨害に対処する。弾倉軸に入った砂、ごみ等のいずれの汚れは除去する必要はなく、また凹部１３９ａ、ｂの領域において、従って全体的な、摩擦抵抗が低減される。
【０１３１】
給弾装置１５の後端では、リブ状のガイド用形成物３９が下向きに延在し、これは弾倉ハウジング３の後壁９の内側のガイド凹部３７と係合するように設けられる（図８、９、２６〜２８も参照）。リブ３９は連続して形成されておらず、先細加工によって中断されている。この方法は、いずれの摩擦力を低減し、２点でのガイドを提供する役割を果たす。
【０１３２】
給弾装置１５の後側１４１の下端は、その下方の概ね１／４において、ガイドリブ３９の厚さまで先細加工される。後側１４１と、対抗ガイド表面１３５ａ、ｂの領域の略全体との間において、給弾装置１５は下方に開放されたものとして設計される。この領域では、給弾装置１５の長手方向に対して略中央に、補強・安定化表面１４２が概ね台形の形状で下向きに延在する。この表面の高さは、給弾装置１の長さのおよそ２／３に対応する。この表面の台形又は概ね三角形の形状は、その寸法において、給弾装置１５の下側に対応し、弾倉ばね１７の１つのコイルの内径に概ね対応する。
【０１３３】
給弾装置１５の横断方向には、下向きに延在する補強リブ１４３ａ、ｂが、上記三角形表面の両側に設けられ、これらは、一方では安定化のため、他方では弾倉ばね１７の更なるコイル、特に圧縮されたコイルの保持のために役立つ。特に図２６から分かるように、補強リブ１４３ａ、ｂは、補強・安定化表面１４２の下端の方向に先細加工されている。この方法により、弾倉ばね１７のコイルを、これらが圧縮されたときに、補強・安定化表面１４２に、より容易に押し付けることができる。後側１４１の内側及び対抗ガイド表面１３５ａ、ｂの内側１４５ａ、ｂはその寸法において、弾倉ばね１７のコイルの外径に概ね対応する。本発明の更なる実施形態は、専門家であれば、従属請求項から及び以下の図面から導出できる。
【符号の説明】
【０１３４】
１  弾倉
３  弾倉ハウジング
５ａ、ｂ  弾倉軸１０の側壁
７  弾倉軸１０の前壁
１０  弾倉軸
１１  弾倉底板
１５  給弾装置
１７  弾性要素
１９  弾倉インサート
２５ａ、ｂ  対抗ラッチ
２７ａ、ｂ  ロック要素
２９ａ、ｂ  視認用切り欠き部及び／又はインサート
３１  視認用切り欠き部及び／又はインサート
３７  ガイドセクション
３９  対抗ガイド要素
４９  凹部
５１  ロックタブ
５３ａ、ｂ  流体流路開口
５５  対抗セクション
６１ａ、ｂ  ガイド経路
６２ａ、ｂ  安全要素、限界停止要素
６４ａ、ｂ  対抗ラッチ
６５ａ、ｂ  安全要素、ヒンジピン
６９ａ、ｂ  ガイド要素
７３ａ、ｂ  ガイド要素
７７  ガイド要素
８７  凹部
８９ａ、ｂ  ロック要素
９５ａ、ｂ  作動セクション
９９  弾倉インサート１９の下側
１０３  少なくとも部分的に深くなったセクション
１３１  スペーサ
１３７ａ、ｂ  給弾装置１５の前部
１３９ａ、ｂ  少なくとも１つの凹部
【図１】
2019095188.tif 000003
【図２】
2019095188.tif 000004
【図３】
2019095188.tif 000005
【図４】
2019095188.tif 000006
【図５】
2019095188.tif 000007
【図６】
2019095188.tif 000008
【図７】
2019095188.tif 000009
【図８】
2019095188.tif 000010
【図９】
2019095188.tif 000011
【図１０】
2019095188.tif 000012
【図１１】
2019095188.tif 000013
【図１２】
2019095188.tif 000014
【図１３】
2019095188.tif 000015
【図１４】
2019095188.tif 000016
【図１５】
2019095188.tif 000017
【図１６】
2019095188.tif 000018
【図１７】
2019095188.tif 000019
【図１８】
2019095188.tif 000020
【図１９】
2019095188.tif 000021
【図２０】
2019095188.tif 000022
【図２１】
2019095188.tif 000023
【図２２】
2019095188.tif 000024
【図２３】
2019095188.tif 000025
【図２４】
2019095188.tif 000026
【図２５】
2019095188.tif 000027
【図２６】
2019095188.tif 000028
【図２７】
2019095188.tif 000029
【図２８】
2019095188.tif 000030
【外国語明細書】
2019095188000001.pdf